(57)【要約】      （修正有）【課題】  軽量でありながら、実用上十分な強度を有するとともに、耐水性及び耐候性に優れ、かつポスター掲示面の平面性を保持することができ、さらに繰り返し使用を可能とするこにより、費用面でも有利であり、好ましくは後方からの陰影が前面に投影しない掲示板用板状体、およびこれを用いた選挙ポスター用掲示板を提供する。【解決手段】合成樹脂製の表面板２と、暗色の裏面板３の間に、たとえばエアキャップシート４ａやハニカム構造体などを介在させて、三者を溶着または接着剤により一体化し、前記エアキャップシートやハニカム構造体よりなる中空層４を設けて三層構造の掲示板用板状体１を形成し、この掲示板用板状体１を、枠体の前面に固定し、必要に応じ脚体を取付けて選挙ポスター用掲示板とする。【選択図】図３
2008065273.tif 000002
【特許請求の範囲】
【請求項１】
合成樹脂製の表面板と、裏面板の間に、中空層を設けて三層構造としたことを特徴とする掲示板用板状体。
【請求項２】
中空層を、表面板と裏面板の間に多数の柱状体または片状体からなる中空層部材を介在させて、溶着または接着剤により一体化することにより形成したことを特徴とする請求項１記載の掲示板用板状体。
【請求項３】
中空層を、表面板と裏面板の間にエアキャップシート、ハニカム構造体または波状板のいずれかの中空層部材を介在させて、溶着または接着剤により一体化することにより形成したことを特徴とする請求項２に記載の掲示板用板状体。
【請求項４】
掲示板用板状体の後方からの透光により、表面板に陰影が生ずることを防ぐための陰影防止手段を設けたことを特徴とする請求項１〜３のいずれかに記載の掲示板用板状体。
【請求項５】
陰影防止手段を、裏面板または中空層を、黒色または、その他の暗色のものとするか、あるいは掲示板用板状体の裏面に、黒色または、その他の暗色のシート状物を配設することにより形成したことを特徴とする請求項４に記載の掲示板用板状体。
【請求項６】
請求項１〜５のいずれかに記載の掲示板用板状体を、枠体の前面に固着したことを特徴とする選挙ポスター用掲示板。
【発明の詳細な説明】
【技術分野】
【０００１】
本発明は、合成樹脂製の表面板を用いた特定構造の掲示板用板状体、およびこれを用いた選挙ポスター用掲示板に関する。
【背景技術】
【０００２】
一般に、選挙運動期間中に立候補者のポスターを貼付する掲示板として、枠体の前面にベニヤ板を釘打ちにより固定し、必要に応じて、枠体の後面に脚体を取り付けたものが、広く使用されている。
【０００３】
また、特開２００２−３４１７９９号（特許文献１）に示されているように、耐水処理を施した厚紙により板状基材を形成し、この基材の両面に、ポリエチレンテレフタレート（ＰＥＴ）フィルムを積層貼着したものを用いた掲示板も提案されている。
【特許文献１】特開２００２−３４１７９９号公報
【０００４】
さらに、一枚板よりなる合成樹脂製板状体を、枠体の前面に、釘打ちにより固定した掲示板も使用されている。
【０００５】
しかし、ベニヤ板を用いた掲示板は重く、かつ傷みやすく、繰り返し使用するには適しない。
【０００６】
また、耐水処理を施した厚紙により板状基材を形成し、この基材の両面にポリエチレンテレフタレート（ＰＥＴ）フィルムを積層貼着したものを用いた掲示板では、基材が厚紙であるため、耐水性、耐候性および強度面で充分でなく、やはり繰り返し使用するには適しない。
【０００７】
さらに、一枚板よりなる合成樹脂製板状体を利用した掲示板は、前記合成樹脂製板状体を、枠体の前面に一定間隔で釘打ちして固定するため、直射日光等の熱による膨張により、釘間の板面が湾曲し、ポスター掲示面の平面性を保持するのが困難である。
【０００８】
さらに、一枚板よりなる合成樹脂製板状体を使用する掲示板は、一般に、長方形の枠部材内に、横方向及び縦方向の複数の枠中部材を用いた格子状枠体が用いられているため、後方からの直射日光等により、枠体における枠中部材や後方の木々等の陰影が表面に投影されることにより、貼付された選挙ポスターにおける候補者の顔部分に陰影が投影され、見栄えが悪くなるという問題がある。
【発明の開示】
【発明が解決しようとする課題】
【０００９】
本発明は、上記の問題点に鑑み、軽量でありながら実用上十分な強度を有するとともに、耐水性及び耐候性に優れ、かつ直射日光や気温の変化等に基づく熱膨張や熱収縮の原因とするポスター掲示面の湾曲を防止して、平面性を保持することができ、さらに繰り返し使用を可能とすることにより、費用面でも有利であり、好ましくは裏面側からの陰影が表面に投影しない掲示板用板状体、およびこれを用いた選挙ポスター用掲示板を提供することを目的としている。
【課題を解決するための手段】
【００１０】
本発明によると、上記課題は、次のようにして解決される。
（１）合成樹脂製の表面板と、裏面板の間に、中空層を設けて三層構造とした掲示板用板状体とする。
【００１１】
（２）（１）項において、中空層を、表面板と裏面板の間に多数の柱状体または片状体からなる中空層部材を介在させて、溶着または接着剤により一体化することにより形成する。
【００１２】
（３）（２）項において、中空層を、表面板と裏面板の間にエアキャップシート、ハニカム構造体または波状板のいずれかの中空層部材を介在させて、溶着または接着剤により一体化することにより形成する。
【００１３】
（４）（１）〜（３）項において、掲示板用板状体の後方からの透光により、表面板に陰影が生ずることを防ぐための陰影防止手段を設ける。
【００１４】
（５）（４）項において、陰影防止手段を、裏面板または中空層を、黒色または、その他の暗色のものとするか、あるいは掲示板用板状体の裏面に、黒色または、その他の暗色のシート状物を配設することにより形成する。
【００１５】
（６）（１）〜（５）のいずれかに記載の掲示板用板状体を、枠体の前面に固着した選挙ポスター用掲示板とする。
【発明の効果】
【００１６】
本発明によると、次のような効果を奏することができる。
（１）請求項１記載の発明によると、中空層を有する三層構造であるため、軽量でありながら、実用上十分な強度を有するとともに、合成樹脂製の表面板を用いているため、耐水性及び耐候性に優れ、かつ三層構造であるため、直射日光や気温の変化等に基づく熱膨張や熱収縮を原因とする表面板の湾曲を防止して、平面性を保持することができる。さらに耐候性、強度に優れるため繰り返し使用が可能となり、費用面でも有利な掲示板用板状体が得られる。
【００１７】
（２）請求項２記載の発明によると、本発明が課題とする目的を効果的に達成することができる中空層を容易に形成することができる。
【００１８】
（３）請求項３記載の発明によると、中空層を容易に形成することができるとともに、特に、エアキャップシートやハニカム構造体により中空層を形成することにより、直射日光や気温の変化等に基づく熱膨張や熱収縮を原因とするポスター掲示面の湾曲を効果的に防止して、良好な平面性を保持することができるとともに、長年月に亘る繰り返し使用が可能となる。
【００１９】
（４）請求項４記載の発明によると、後方から直射日光等が照射されても、ポスター掲示面となる表面板に、枠体における枠中部材や、後方の樹木等の陰影が投影されないため、貼付された選挙ポスターにおける候補者の顔等が、見栄えが悪くなるという不都合を防止することができる。
【００２０】
（５）請求項５記載の発明によると、効果的な陰影防止手段を容易に形成することができる。
【００２１】
（６）請求項６記載の発明によると、本発明が課題とする目的を有効に発揮しうる選挙ポスター用掲示板が簡単に得られる。
【発明を実施するための最良の形態】
【００２２】
以下、本発明を、図面に基づいて説明する。
【００２３】
図１は、本発明の掲示板用板状体を用いて選挙ポスター用掲示板としたものを一部破断して示す正面図、図２は、図１におけるＡ部の部分拡大図、図３は、図２におけるIII-III線断面部分拡大図である。
【００２４】
掲示板用板状体(1)は、図２、図３に示すように、表面板(2)と裏面板(3)の間に、エアキャップシートを介在させ、熱溶着または接着剤等により接着して一体化することにより、中空層(4)を形成してなる三層構造の板状体である。
中空層(4)を有する三層構造により、軽量でありながら、実用上充分な強度を有する。
【００２５】
表面板(2)は、選挙ポスターの掲示面となるため、白色系のポリプロピレン、ポリエチレン等の合成樹脂製の板状体が用いられている。
【００２６】
表面板(2)と裏面板(3)の間に、エアキャップシートを介在させて、三者を一体化させる手段として、熱溶着が作業性の面から好ましいため、裏面板(3)も、合成樹脂製板状体を用いることが好ましい。
【００２７】
また、熱溶着の容易性及び溶着強度の関係から、表面板(2)、裏面板(3)及び中空層(4)を形成するエアキャップシートは、同種の熱可塑性合成樹脂を用いることが推奨される。
【００２８】
さらに、耐候性を向上させるため、これらの熱可塑性合成樹脂には、適宜の紫外線吸収剤等の添加物を相当量加えて成形したものを用いることが望ましい。
【００２９】
表面板(2)の前面には、シルクスクリーン印刷等により、タイトル、注意事項、ポスター掲示位置を示す枠等が必要に応じて表示される。
【００３０】
このようにして形成された掲示板用板状体(1)は、図１に示すように、横長な枠部材(5a)に、適数の縦方向または横方向の中部材(5b)(5c)を設けて形成されている格子状の枠体(5)の前面に、所望の間隔で釘打ちして固定される。
【００３１】
枠体(5)は、掲示板用板状体(1)を釘打ちにより固着可能な材質、例えば木製、発泡プラスチック製、圧縮鋸くず製、再生プラスチック製等であることが好ましい。
【００３２】
枠体(5)の後面には、枠体(5)における縦方向の中部材(5c)を利用して、脚柱(6)(6)が取り付けられている。
【００３３】
表面板(2)、裏面板(3)を合成樹脂製とした場合、その板厚にも影響されるが、掲示板用板状体(1)の後方からの直射日光等により、枠体(5)における中部材(5b)(5c)、あるいは後方の樹木等の陰影が、表面板に貼付した選挙ポスターにおける候補者の顔部分に投影され、見栄えが悪くなる場合がある。
【００３４】
このような陰影を防止する有効な手段としては、次のものが挙げられる。
すなわち、裏面板(3)または、中空層(4)を、黒色またはその他の暗色に形成することである。
【００３５】
このためには、裏面板(3)または中空層(4)の基材を成形する際に、適当な暗色系の顔料等の添加物を加えるとよい。
【００３６】
また、非暗色の基材からなる裏面板(3)、中空層(4)の場合は、表面板(2)、裏面板(3)及び中空層(4)を一体化して、掲示板用板状体(1)を形成する際、あるいはその前後に、適宜の手段で、裏面板(3)または中空層(4)の表面を着色してもよい。
【００３７】
中空層(4)を暗色とした場合、中空層(4)自体が暗室となり、裏面板(3)が白色系であっても、後方からの透光による陰影は、中空層(4)で遮断され、表面板(2)に投影されることはない。
【００３８】
その他、掲示板用板状体(1)の裏面に、黒色またはその他の暗色のシート状物（フィルム状物を含む）を配設してもよい。
【００３９】
すなわち、具体的には、掲示板用板状体(1)の裏面に、暗色のシート状物を接着剤等で貼着した後、枠体(5)の前面に釘打ち固定するか、あるいは、掲示板用板状体(1)を枠体(5)に釘打ち固定する際、両者間に暗色のシート状物を介在させて、掲示板用板状体(1)と前記シート状物を、同時に枠体(5)の前面に固定してもよい。
【００４０】
図４は、本発明の掲示板用板状体の第２実施形態を示す部分拡大斜視図である。
表面板(7)と裏面板(8)の間に、凹凸状に成型された多数の板状体を組み合わせて形成したハニカム構造体(9a)を介在させて、これら三者を、溶着または接着剤により一体化し、前記ハニカム構造体をもって、中空層(9)が形成されている。
【００４１】
本実施形態によれば、エアキャップシートによる掲示板に較べて、より強固で硬質な掲示板用板状体を得ることができる。
【００４２】
図５は、本発明の掲示板用板状体の第３実施形態を示す部分拡大断面図である。
表面板(10)と裏面板(11)の間に、波状板(12a)を介在させ、これら三者を、溶着または接着剤により一体化し、前記波状板をもって、中空層(12)が形成されている。
【００４３】
本実施形態によれば、より簡便に掲示板用板状体を得ることができる。
【００４４】
中空層は、前記具体的に例示した構造の中空層部材以外に、その他の形状の多数の柱状体または片状体により形成してもよい。
【００４５】
たとえば、各種形状の中空または中実の多数の柱状体、あるいは格子状体等で構成することもできる。
【図面の簡単な説明】
【００４６】
【図１】本発明の掲示板を用いて選挙用ポスター掲示板としたものを一部破断して示す正面図である。
【図２】図１におけるＡ部の部分拡大図である。
【図３】図２におけるIII-III線断面部分拡大図である。
【図４】本発明の第２実施形態を示す部分拡大斜視図である。
【図５】本発明の第３実施形態を示す部分拡大断面図である。
【符号の説明】
【００４７】
(1)掲示板用板状体
(2)表面板
(3)裏面板
(4)中空層
(4a)エアキャップシート
(5)枠体
(5a)枠部材
(5b)(5c)中部材
(6)脚柱
(7)表面板
(8)裏面板
(9)中空層
(9a)ハニカム構造体
(10)表面板
(11)裏面板
(12)中空層
(12a)波状体
【図１】
2008065273.tif 000003
【図２】
2008065273.tif 000004
【図３】
2008065273.tif 000005
【図４】
2008065273.tif 000006
【図５】
2008065273.tif 000007